(57)【要約】【課題】複数個のＬＥＤを並列配置してなる長尺状のＬＥＤユニットは棚板の後縁面部に設けた配設凹部に配設され、複数個のＬＥＤからの照明光が壁面を反射し、この反射光により棚板の上下面及び壁面を間接照明することができ、この際、上記ＬＥＤユニットは棚板の後縁面部に設けた配設凹部に配設されているので、棚板の上下面を有効に活用することができ、かつ、棚板の上下面及び壁面の間接照明により棚板上の陳列品やインテリア品を柔らかな印象や立体感をもって照らし出すことができ、様々な陳列演出や展示陳列、空間演出効果を期待することができる。【解決手段】棚板１に照明光源としてのＬＥＤ６を配設してなり、棚板の後縁面部１ａに配設凹部１０を設け、複数個のＬＥＤを並列配置してなる長尺状のＬＥＤユニット５を形成し、ＬＥＤユニットを配設凹部に配設してなる。【選択図】図１
2009129578.tif 000002
【特許請求の範囲】
【請求項１】
棚板に照明光源としてのＬＥＤを配設してなり、上記棚板の後縁面部に配設凹部を設け、上記複数個のＬＥＤを並列配置してなる長尺状のＬＥＤユニットを形成し、該ＬＥＤユニットを該配設凹部に配設してなることを特徴とする棚板用の照明構造。
【請求項２】
上記ＬＥＤユニットは、複数個のＬＥＤを並列配置すると共に該ＬＥＤ相互を電気的接続するための回路を有する基板と、該基板を固着可能な保護板とからなることを特徴とする請求項１記載の棚板用の照明構造。
【請求項３】
上記ＬＥＤユニットは複数個形成され、該複数個のＬＥＤユニットをコネクタ部材により直列状に連結可能に設けてなることを特徴とする請求項１又は２記載の棚板用の照明構造。
【請求項４】
上記保護板は左右の側板及び底板からなる断面コ状の長尺材により形成され、該保護板の左右の側板及び底板に囲まれた位置に上記基板を固着してなることを特徴とする請求項２又は３記載の棚板用の照明構造。
【請求項５】
上記配設凹部は上記ＬＥＤユニットを上記棚板の後縁面部より没入する深さに形成されていることを特徴とする請求項１〜４のいずれか１項に記載の棚板用の照明構造。
【発明の詳細な説明】
【技術分野】
【０００１】
本発明は、例えばインテリア用の飾り棚、商品陳列棚、家具、キャビネット、ショーケースなどの照明に用いられる棚板用の照明構造に関するものである。
【背景技術】
【０００２】
従来、この種の棚板用の照明構造として、棚板の底面やダボ、ダボ穴等に照明光源としてのＬＥＤを配設してなる構造のものが知られている。
【０００３】
しかして、棚板の底面やダボ、ダボ穴等に配したＬＥＤ（発光ダイオード）からの照明光により照明することになる。
【特許文献１】特開２００１−２５０４２０号公報
【発明の開示】
【発明が解決しようとする課題】
【０００４】
しかしながらこれら従来構造の場合、棚板の底面やダボ、ダボ穴等に配したＬＥＤにより直接照明することになるから、棚板の上下面を有効に活用することができなかったり、直接照明となるから棚板上の陳列品やインテリア品を柔らかな印象や立体感をもって照らし出すことができなかったり、陳列演出や展示陳列、空間演出効果をそれほど期待することができなかったりするという不都合を有している。
【課題を解決するための手段】
【０００５】
本発明はこれらの不都合を解決することを目的とするもので、本発明のうちで、請求項１記載の発明にあっては、棚板に照明光源としてのＬＥＤを配設してなり、上記棚板の後縁面部に配設凹部を設け、上記複数個のＬＥＤを並列配置してなる長尺状のＬＥＤユニットを形成し、該ＬＥＤユニットを該配設凹部に配設してなることを特徴とする棚板用の照明構造にある。
【０００６】
又、請求項２記載の発明にあっては、上記ＬＥＤユニットは、複数個のＬＥＤを並列配置すると共に該ＬＥＤ相互を電気的接続するための回路を有する基板と、該基板を固着可能な保護板とからなることを特徴とするものであり、又、請求項３記載の発明は、上記ＬＥＤユニットは複数個形成され、該複数個のＬＥＤユニットをコネクタ部材により直列状に連結可能に設けてなることを特徴とするものである。
【０００７】
又、請求項４記載の発明は、上記保護板は左右の側板及び底板からなる断面コ状の長尺材により形成され、該保護板の左右の側板及び底板に囲まれた位置に上記基板を固着してなることを特徴とするものであり、又、請求項５記載の発明は、上記配設凹部は上記ＬＥＤユニットを上記棚板の後縁面部より没入する深さに形成されていることを特徴とするものである。
【発明の効果】
【０００８】
本発明は上述の如く、請求項１記載の発明にあっては、複数個のＬＥＤを並列配置してなる長尺状のＬＥＤユニットは棚板の後縁面部に設けた配設凹部に配設され、複数個のＬＥＤからの照明光が壁面を反射し、この反射光により棚板の上下面及び壁面を間接照明することができ、この際、上記ＬＥＤユニットは棚板の後縁面部に設けた配設凹部に配設されているので、棚板の上下面を有効に活用することができ、かつ、棚板の上下面及び壁面の間接照明により棚板上の陳列品やインテリア品を柔らかな印象や立体感をもって照らし出すことができ、様々な陳列演出や展示陳列、空間演出効果を期待することができる。
【０００９】
又、請求項２記載の発明にあっては、上記ＬＥＤユニットは、複数個のＬＥＤを並列配置すると共にＬＥＤ相互を電気的接続するための回路を有する基板と、基板を固着可能な保護板とからなるので、剛性の高いＬＥＤユニットを形成することができ、又、請求項３記載の発明にあっては、上記ＬＥＤユニットは複数個形成され、複数個のＬＥＤユニットをコネクタ部材により直列状に連結可能に設けているから、棚板の後縁面部の長さに対する融通性を高めることができる。
【００１０】
又、請求項４記載の発明にあっては、上記保護板は左右の側板及び底板からなる断面コ状の長尺材により形成され、保護板の左右の側板及び底板に囲まれた位置に上記基板を固着してなるから、保護板により基板を保護することができ、又、請求項５記載の発明にあっては、上記配設凹部は上記ＬＥＤユニットを上記棚板の後縁面部より没入する深さに形成されているから、ＬＥＤユニットを衝突等による外力から保護することができる。
【発明を実施するための最良の形態】
【００１１】
図１乃至図１０は本発明の実施の形態例を示し、１は棚板であって、この場合、図３、図４、図９のごとく、複数個の係止穴２ａを上下に形成した図１０に示す長尺状の係止板２を室内の壁面３に埋設し、棚板１の左右両側底面にブラケット４を２個取付固定し、ブラケット４の後端部の上下二個の係止鉤部４ａを上下に隣り合う係止穴２ａ・２ａに係止し、棚板１の後縁面部１ａと壁面３との間に間隙Ｒを存して、棚板１を壁面３に対して、水平に突設して構成している。
【００１２】
５はＬＥＤユニットであって、この場合、図５、図６、図７のごとく、複数個のＬＥＤ（発光ダイオード）６を並列配置すると共にＬＥＤ６相互を電気的接続するための回路７ａを有する樹脂製の長尺状の基板７と、基板７を固着可能な金属製の長尺状の保護板８とからなり、この保護板８は左右の側板８ａ・８ａ及び底板８ｂからなる断面コ状の長尺材により形成され、この保護板８の左右の側板８ａ・８ａ及び底板８ｂに囲まれた位置に上記基板７を両面テープにより固着してなる。
【００１３】
また、この場合、図６のごとく、上記ＬＥＤユニット５は複数個形成され、複数個のＬＥＤユニット５はコネクタ部材９により直列状に連結可能に構成されている。
【００１４】
１０は配設凹部であって、この場合、図４、図５のごとく、上記棚板１の後縁面部１ａに長手方向に延びて形成され、この配設凹部１０に上記ＬＥＤユニット５を固定配設し、この配設凹部１０はＬＥＤユニット５が上記棚板１の後縁面部１ａより没入する深さに形成され、配設凹部１０の後縁面部１ａよりＬＥＤユニット５が突出しないように構成している。
【００１５】
１１は電源供給コネクタであって、この場合、図８、図９のごとく、複数個のコネクタ穴部１２を有する樹脂製の長尺状のコネクタ１３と、図示省略の電源とコネクタ１３とを電気的接続する直流アダプタからなり、このコネクタ穴部１２にＬＥＤユニット５を接続ケーブル１４により接続するように構成している。
【００１６】
又、この場合、図９のごとく、上記電源供給コネクタ１１は複数個形成され、この複数個の電源供給コネクタ１１を電気接続ケーブル１５により直列状に連結可能に構成している。
【００１７】
この実施の形態例は上記構成であるから、複数個のＬＥＤ６を並列配置してなる長尺状のＬＥＤユニット５は棚板１の後縁面部１ａに設けた配設凹部１０に配設され、図３のごとく、複数個のＬＥＤからの照明光Ｌが壁面３を反射し、この反射光により棚板１の上下面及び壁面３を間接照明することができ、この際、図４のごとく、上記ＬＥＤユニット５は棚板１の後縁面部１ａに設けた配設凹部１０に配設されているので、棚板１の上下面を有効に活用することができ、かつ、棚板１の上下面及び壁面３の間接照明により棚板１上の陳列品やインテリア品を柔らかな印象や立体感をもって照らし出すことができ、様々な陳列演出や展示陳列、空間演出効果を期待することができる。
【００１８】
又、この場合、上記ＬＥＤユニット５は、複数個のＬＥＤ６を並列配置すると共にＬＥＤ６相互を電気的接続するための回路７ａを有する基板７と、基板７を固着可能な保護板８とからなるので、剛性の高いＬＥＤユニット５を形成することができ、又、この場合、上記ＬＥＤユニット５は複数個形成され、複数個のＬＥＤユニット５をコネクタ部材９により直列状に連結可能に設けているから、棚板１の後縁面部１ａの長さに対する融通性を高めることができる。
【００１９】
又、この場合、上記保護板８は左右の側板８ａ・８ａ及び底板８ｂからなる断面コ状の長尺材により形成され、保護板８の左右の側板８ａ・８ａ及び底板８ｂに囲まれた位置に上記基板７を固着してなるから、保護板８により基板７を保護することができ、又、この場合、上記配設凹部１０は上記ＬＥＤユニット５を上記棚板１の後縁面部１ａより没入する深さに形成されているから、ＬＥＤユニット５を衝突等による外力から保護することができる。
【００２０】
尚、本発明は上記実施の形態例に限られるものではなく、棚板１の大きさや形態、材質、ＬＥＤユニット５の形態や構造、配設凹部１０の構造や形態等は適宜変更して設計施工されるものである。
【００２１】
以上、所期の目的を充分達成することができる。
【図面の簡単な説明】
【００２２】
【図１】本発明の実施の形態例の斜視図である。
【図２】本発明の実施の形態例の分離斜視図である。
【図３】本発明の実施の形態例の部分断面図である。
【図４】本発明の実施の形態例の部分拡大断面図である。
【図５】本発明の実施の形態例の部分斜視図である。
【図６】本発明の実施の形態例の部分斜視図である。
【図７】本発明のの実施の形態例の部分斜視図である。
【図８】本発明の実施の形態例の部分斜視図である。
【図９】本発明の実施の形態例の部分斜視図である。
【図１０】本発明実施の形態例の部分斜視図である。
【符号の説明】
【００２３】
１    棚板
１ａ    後縁面部
５    ＬＥＤユニット
６    ＬＥＤ
７    基板
８    保護板
８ａ    側板
８ｂ    底板
９    コネクタ部材
１０    配設凹部
【図１】
2009129578.tif 000003
【図２】
2009129578.tif 000004
【図３】
2009129578.tif 000005
【図４】
2009129578.tif 000006
【図５】
2009129578.tif 000007
【図６】
2009129578.tif 000008
【図７】
2009129578.tif 000009
【図８】
2009129578.tif 000010
【図９】
2009129578.tif 000011
【図１０】
2009129578.tif 000012